(57)【要約】      （修正有）【課題】ブドウのような房状果実を販売時点において見映え良い状態に容易かつ手軽に包装することができる出荷・展示袋を提供する。【解決手段】前面シート２及び後面シート３によって形成され、房状果実を収納できるように上辺部４及び一側辺部５を開口とした袋体とする。前面シート２と後面シート３の他側辺部７はその上辺部４側の一部を封止して閉塞側辺部８を形成し、閉塞側辺部の下方は封止しないで開放側辺部９を形成し、房状果実の出荷・展示袋１１とする。この開放側辺部９における前面シート２及び後面シート３は、これを前後方向に張出した状態にして傾斜底面部１４を形成し、袋体の深さが浅くなるようにしている。【選択図】図４
0003191059.tif 000002
【実用新案登録請求の範囲】
【請求項１】
前面シート及び後面シートによって形成され、房状果実を収納できるように上辺部及び一側辺部を開口とした袋体であって、上記前面シートと後面シートの他側辺部はその上辺部側の一部を封止して閉塞側辺部を形成し、該閉塞側辺部の下方の前面シート及び後面シートは前後方向に張出して傾斜底面部を形成できるように封止されていない開放側辺部としたことを特徴とする房状果実の出荷・展示袋。
【請求項２】
上記袋体の他側辺部の上辺部側に設けた閉塞側辺部の長さが上記他側辺部の長さの１／３〜２／３を占めている請求項１に記載の房状果実の出荷・展示袋。
【請求項３】
上記閉塞側辺部は、袋体の他側辺部の上辺部側の前面シート２と後面シート３を接着又は溶着することによって形成されている請求項１または２に記載の房状果実の出荷・展示袋。
【請求項４】
上記袋体の一側辺部の上辺部には、該一側辺部を果柄に巻き付けた状態で閉じることができる結束片を設けている請求項１〜３のいずれかに記載の房状果実の出荷・展示袋。
【請求項５】
上記結束片が針金、ポリプロピレン樹脂、ポリエチレン樹脂、ポリ乳酸樹脂のいずれかで形成されている請求項４に記載の房状果実の出荷・展示袋。
【考案の詳細な説明】
【技術分野】
【０００１】
本考案は、ぶどう等の房状果実を出荷し、販売時に展示するために使用する出荷・展示袋の改良に関する。
【背景技術】
【０００２】
ぶどう等の房状果実は、そのままダンボール箱に詰めて出荷すると、輸送中に揺られ、互いにぶつかり合ったりして、果実の粒が柄から落ちることが多く、そうなると販売時の商品価値が低下してしまう。
そうしたことから、栽培時に使用した果実袋と共にぶどうを収穫し、これをそのままダンボール箱に詰めて出荷することが考えられた。しかし、こうした果実袋には栽培中に使用した農薬などが付着している可能性があり、そのまま出荷・展示袋として使用して消費者の手に渡ることは好ましくないと考えられる。
【０００３】
そこで、ぶどうを出荷専用の包装袋に入れ、この袋の開口を開いたままにして、外から収納されているぶどうを見ることができるようにしたぶどう房包装袋が提供されている。（特許文献１）
【０００４】
しかし、図９に示すように、上記包装袋３０に詰める場合、房状果実２０のぶどうは果柄２２側の上部（肩部）２３が太く、房の先端部２１が細くなっているので、これをそのまま包装袋３０に詰めると、房の先端部２１が包装袋３０の下方に入り込んでしまって、房の先端部までも含めた全体が外部から見えるような体裁の良い包装とすることが難しい。
【０００５】
こうしたことを避けるために、包装袋の房状果実の先端部２１側の底部を側方に折り曲げたりして底を浅くするように手で調節しながら包んだりしているが、手間と熟練を必要とするし、また折り曲げ部が解けたりすることもあって、出荷・展示袋としては体裁も悪いということがあった。
【先行技術文献】
【特許文献】
【０００６】
【特許文献１】意匠登録第１１９０３０９号
【考案の概要】
【考案が解決しようとする課題】
【０００７】
本考案は、上記の如き特性を有するブドウのような房状果実を販売時点において見映え良い状態に包装するために、容易かつ手軽に包装することができるような出荷・展示袋を提供しようとするものである。
【課題を解決するための手段】
【０００８】
本考案においては、前面シート及び後面シートによって形成され、房状果実を収納できるように上辺部及び一側辺部を開口とした袋体とするもので、上記前面シートと後面シートの他側辺部はその上辺部側の一部を封止して閉塞側辺部を形成し、この閉塞側辺部の下方は封止していない開放側辺部として房状果実の出荷・展示袋とする。この開放側辺部における前面シート及び後面シートは、これを前後方向に張出した状態にして袋体の深さを浅くする傾斜底面部を形成できるようにしている。
【考案の効果】
【０００９】
本考案によれば、出荷・展示袋の他側辺部の下方部に設けた開放側辺部の部分の前面シート及び後面シートを前後方向に張出すようにして傾斜底面部を形成し、上辺部の開口から房状果実の先端部の細くなっている部分をこの傾斜底面部の方向に位置させ、果柄を一側辺部の開口に位置するようにして袋内に入れると、上記房状果実の先端部が袋の底の方に入り込むことなく他側辺部側で持ち上げられる。そして、袋体の一側辺部の開口に果柄を位置させ、一側辺部を寄せ集めるようにして果柄の周りに容易に巻き付けることができる。こうすることによって房状果実の果柄側の太い上部から細くなっている先端部まで、等しく袋体の上辺部側の開口から良く見える状態に収納して包装することができるので、房状果実を確実に保持することができると共に、その展示効果を上げることができる。
【図面の簡単な説明】
【００１０】
【図１】本発明の実施例を示す正面図である。
【図２】図１に示すもののＡ−Ａ線拡大断面図である。
【図３】図１に示すものを拡げた状態を示す斜視図である。
【図４】図３に示すものに傾斜底面部を形成した状態を示す斜視図である。
【図５】図４に示すものの傾斜底面部を上方に折り返した状態を示す斜視図である。
【図６】図５に示すものに房状果実を収納した状態を示す説明図である。
【図７】他の実施例の図５と同様の状態を示す斜視図である。
【図８】更に他の実施例の図５と同様の状態を示す斜視図である。
【図９】従来の包装袋に房状果実を収納した状態を示す説明図である。
【考案を実施するための形態】
【００１１】
紙、プラスチックラミネート紙、不織布、プラスチックシート、孔明きプラスチックシートその他の適宜材料で袋体１を形成する。この袋体１は、前面シート２及び後面シート３によって形成されており、その上辺部４と一側辺部５を開口６としている。
袋体１の他側辺部７の前面シート２及び後面シート３は、その上辺部４側の一部が封止されて閉塞側辺部８とされており、この閉塞側辺部８の下方は封止されていない開放側辺部９とされている。
【００１２】
上記閉塞側辺部８の長さは、通常、上記他側辺部７の長さの１／３〜２／３程度の長さに形成するとよい。図示するものでは、他側辺部７の前面シート２と後面シート３を接着剤１０によって貼り合せて閉塞側辺部８を形成しているが、溶着やその他の適宜の方法で閉塞状態を形成することができる。
【００１３】
こうした出荷・展示袋１１は、上記袋体１の他側辺部７の開放側辺部９の部分を、上記閉塞側辺部８の下端部１３を基点とするようにして前面シート２と後面シート３を前後方向に張出すようにすると、傾斜底面部１４が形成できるようになり、他側辺部７側の底部１５を一側辺部５側の底部１６よりも浅くすることができる。（図３，４）
図示するものでは上記傾斜底面部１４がほぼ三角形状に突出するように形成されているが、先端が余り尖っていない台形状などに形成することもできる。
【００１４】
こうした出荷・展示袋１１に、房状果実２０の細くなった先端部２１を上記他側辺部７側に向けて収納すると、浅くなっている底部１５によって房状果実２０の細くなった先端部２１が下方から支持される。
また、房状果実２０の果柄２２側の太くなっている上部２３は、底部が浅くなっていない一側辺部５側の底部１６で支持されるようになる。
【００１５】
また、図５に示すように、上記傾斜底面部１４を上記閉塞側辺部８の下端部１３を基準にして、閉塞側辺部８に向けて上方に折り重ねるようにすると、他側辺部７側の底が浅くなった状態を更に確実に保持することができるようになるし、体裁も良くなる。
【００１６】
そして、袋体１の一側辺部５を果柄２２の周りに巻き付けるようにすれば、房状果実が袋体内で動かないように確実に包装され、袋体１の上面部４の開口部１２から房状果実２０の太い上部２３から細くなっている先端部２１に至るまでその全体を外方から見ることができるので、販売時における展示効果を一層上げることができる。（図６）
【００１７】
また、図示する出荷・展示袋１１においては、上辺部４の前面シート２の一部を折り畳み、この折り畳み部１７の一側辺部５側に結束片１８を挟み込み、その全長に亘って糊付けや溶着その他によって接着している。そして、上記結束片１８に沿うように上記一側辺部５から切線１９を設けて上記結束片１６を使い易いようにしている。
【００１８】
上記結束片１８は、針金などを使用して設けることができるが、ポリプロピレン樹脂、ポリエチレン樹脂、ポリ乳酸樹脂その他の針金と同様に変形状態を保つことができ、かつ強い力を加えると元に戻すことができるようなものを使用すると、針金に比べて一層安全に使用することができる。
【００１９】
この結束片１８は、上記したように袋体の一側辺部５を果柄２２の周りに巻き付けた後に、その上からさらに巻回するようにして固定すれば、果柄２２部分における固定状態を一層確実に維持することができる。
【００２０】
図７に示すものは、上記他側辺部７に設けた閉塞側辺部８を長くし、開放側辺部９を短くしたもので、これによって形成される傾斜底面部１４の大きさが小さくなって、他側辺部７側の底部１５の深さが上記のものよりも深くなるようにされているものである。これは、房状果実２０の先端部２１と上部２３とでその太さがそれ程変化していないものの包装・展示に有効に使用することができる。
【００２１】
図８に示すものは、上記他側辺部７に設けた閉塞側辺部８を短くし、開放側辺部９長く形成したもので、これによって傾斜底面部１４が大きくなり、他側辺部７側の底部１５の深さが上記のものよりも浅くなるように形成されているものであって、房状果実２０の先端部２１と上部２３の太さが大きく変化しているものの包装・展示に有効に使用することができる。
【符号の説明】
【００２２】
１    袋体
２    前面シート
３    後面シート
４    上辺部
５    一側辺部
６    開口
７    他側辺部
８    閉塞側辺部
９    開放側辺部
１１  出荷・展示袋
１３  閉塞側辺部の下端部
１４  傾斜底面部
１８  結束片
２０  房状果実
２１  房状果実の先端部
２２  房状果実の果柄
２３  房状果実の上部
【図１】
0003191059.tif 000003
【図２】
0003191059.tif 000004
【図３】
0003191059.tif 000005
【図４】
0003191059.tif 000006
【図５】
0003191059.tif 000007
【図６】
0003191059.tif 000008
【図７】
0003191059.tif 000009
【図８】
0003191059.tif 000010
【図９】
0003191059.tif 000011